(57)【特許請求の範囲】
【請求項１】
本体と、該本体内に設けられ液体を収容する内容器と、該内容器の上端開口縁に設けられた肩体と、前記内容器の底部から弁部材を介して、前記液体を吐出する吐出部に至る揚水管とを備え、前記肩体の凹部に配設された操作基板から延びるリード線を、前記凹部の底面に設けられた取出口から取り出す電気湯沸かし器において、
前記肩体の裏面に、前記取出口を囲繞するリブを設け、
前記リブは、
前記取出口と前記吐出部との間に設けられ、前記湯沸かし器を倒置した状態で、前記吐出部のスリットから漏出する液体が前記取出口に流入することを防ぐ第１リブと、
前記取出口と前記内容器との間に設けられ、前記湯沸かし器を倒置した状態で、前記内容器から伝達する液体が前記取出口に流入することを防ぐ第２リブと、
を備え、
前記第１リブと前記第２リブとの間に第１切欠き部を設け、前記第２リブの端部に前記リード線を挿通する第２切欠き部を設けたことを特徴とする電気湯沸かし器。
【請求項２】
前記第１リブは前記取出口の立壁よりも高く、前記立壁は前記第１切欠き部の底よりも高いことを特徴とする請求項１に記載の電気湯沸かし器。
【請求項３】
前記取出口の立壁と係合して、前記取出口を覆う防水手段を更に備えたことを特徴とする請求項１または２に記載の電気湯沸かし器。
【請求項４】
前記吐出部を有する弁部材は前記防水手段と隙間を開けて設置され、前記隙間は、前記取出口の立壁よりも短いことを特徴とする請求項３に記載の電気湯沸かし器。
【請求項５】
前記取出口の立壁と係合して前記取出口を覆う防水手段を、前記吐出部を有する弁部材に一体成形したことを特徴とする請求項１または２に記載の電気湯沸かし器。
【発明の詳細な説明】
【技術分野】
【０００１】
本発明は、電気湯沸かし器に関するものである。
【背景技術】
【０００２】
従来、肩体の裏側から、ケーシング内に収容した操作基板を肩体の下方が開口した凹部に配設する電気湯沸かし器が提案されている。
【０００３】
しかし、電気湯沸かし器を洗浄後、乾燥するために倒置すると、操作基板に接続されたリード線を取り出すためにケーシングに形成された取出口から、吐出部のスリットや内容器の側面から流れてくる液体がケーシング内に浸水して、操作基板を破損するという問題があった。
【０００４】
そこで、肩体の表側から、肩体の上方が開口した凹部に操作基板と枠体とを順に配置して、操作パネルを被覆する電気湯沸かし器が提案されている。
【０００５】
この電気湯沸かし器では、前記と同様に倒置すると、肩体の凹部からリード線を取り出すための取出口から、吐出部のスリットや内容器の側面から流れてくる液体が凹部内に浸水して、操作基板を破損するという問題があった。
【発明の開示】
【発明が解決しようとする課題】
【０００６】
本発明は、前記従来の問題点に鑑みてなされたもので、洗浄後、乾燥等のために倒置しても、吐出部のスリットや内容器の側面から流れてくる液体がリード線の取出口から凹部内に浸水して、操作基板を破損するのを防止することができる電気湯沸かし器を提供することを課題とする。
【課題を解決するための手段】
【０００７】
前記課題を解決するための手段として、本発明に係る電気湯沸かし器は、本体と、該本体内に設けられ液体を収容する内容器と、該内容器の上端開口縁に設けられた肩体と、前記内容器の底部から弁部材を介して、前記液体を吐出する吐出部に至る揚水管とを備え、前記肩体の凹部に配設された操作基板から延びるリード線を、前記凹部の底面に設けられた取出口から取り出す電気湯沸かし器において、前記肩体の裏面に、前記取出口を囲繞するリブを設け、
前記リブは、
前記取出口と前記吐出部との間に設けられ、前記湯沸かし器を倒置した状態で、前記吐出部のスリットから漏出する液体が前記取出口に流入することを防ぐ第１リブと、
前記取出口と前記内容器との間に設けられ、前記湯沸かし器を倒置した状態で、前記内容器から伝達する液体が前記取出口に流入することを防ぐ第２リブと、
を備え、
前記第１リブと前記第２リブとの間に第１切欠き部を設け、前記第２リブの端部に前記リード線を挿通する第２切欠き部を設けたものである。
【０００８】
取出口を囲繞するリブを設けたことで、電気湯沸かし器を倒置した場合に、吐出部のスリットや内容器の側面から液体が流れてきても、液体が取出口から凹部内に浸水して、操作基板を破損するのを防止することができる。
【００１０】
第１リブを設けたことで、湯沸かし器を倒置した場合に、吐出部のスリットから漏出する液体が取出口から凹部内に流入するのを防止することができる。第２リブを設けたことで、湯沸かし器を倒置した場合に、内容器から伝達する液体が取出口から凹部内に流入するのを防止することができる。以上により、湯沸かし器を倒置しても、液体が取出口から凹部内に流入することを防止して、操作基板が破損するのを防止することができる。
【００１２】
第１リブと第２リブとの間に第１切欠き部を設けたことで、湯沸かし器を倒置した場合に、内容器から伝達する液体が第２切欠き部から流出して、取出口と該取出口を囲繞する第１リブとの間に溜まっても、第１切欠き部から第１リブの外部へ排水することができる。
【００１３】
前記第１リブは前記取出口の立壁よりも高く、前記立壁は前記第１切欠き部の底よりも高いことが好ましい。
【００１４】
第１リブが取出口の立壁よりも高いので、効果的に取出口への液体の侵入を防ぐことができる。立壁が第１切欠き部の底よりも高いので、液体が取出口と第１リブとの間に溜まっても、第１リブの外部へ排水することができる。
【００１５】
前記取出口の立壁と係合して、前記取出口を覆う防水手段を更に備えたことが好ましい。
【００１６】
防水手段が、取出口の立壁と係合して取出口を覆うので、仮に液体が第１リブから浸水して取出口に至っても、取出口から凹部内に侵入するのを防止することができる
【００１７】
前記吐出部を有する弁部材は前記防水手段と隙間を開けて設置され、前記隙間は、前記取出口の立壁よりも短いことが好ましい。
【００１８】
弁部材と防水手段との隙間が取出口の立壁よりも短いので、防水手段は弁部材によって、取出口から外れることなく固定される。
【００１９】
前記取出口の立壁と係合して前記取出口を覆う防水手段を、前記吐出部を有する弁部材に一体成形したことが好ましい。
【００２０】
防水手段を弁部材に一体成形することで、別部品にする場合と比べて、製造コストを減少することができる。
【発明の効果】
【００２１】
本発明によれば、取出口を囲繞するリブを設けたことで、電気湯沸かし器を倒置した場合に、吐出部のスリットや内容器の側面から液体が流れてきても、液体が取出口から凹部内に浸水して、操作基板を破損するのを防止することができる。
【発明を実施するための最良の形態】
【００２２】
次に、添付図面を参照して本発明の実施形態を詳細に説明する。
【００２３】
図１及び図２は、本発明の実施形態に係る電気湯沸かし器１１を示す。この電気湯沸かし器１１は、本体１２と、該本体１２の上部に、ヒンジ軸１３（図２参照）周りに回動可能に取り付けられた蓋体１４とを備えた周知のものである。以下の説明では、注水側を前方、その反対側を後方と記載する。
【００２４】
本体１２は、胴体１６と、胴体１６の内部に配設され、液体を収容する内容器１７の上端開口縁に設けられた肩体１８とからなる。この内容器１７の底には、加熱手段である加熱ヒータ１９と保温ヒータ２１とが配設されている。また、胴体１６と内容器１７との間には給湯手段である給湯ポンプ２２が配設されている。
【００２５】
胴体１６の上部には、前方に突出するノーズ部１６ａが形成され、このノーズ部１６ａの下面から突出するように弁部材２３の吐出部２４が配設されている。弁部材２３には、給湯ポンプ２２と連通する樹脂やガラス等の透明材料からなる揚水管２６が接続されている。そして、胴体１６において、前記揚水管２６の前部には、透視窓２７を構成する透明な樹脂カバーが配設されている。
【００２６】
図３に示すように、ノーズ部１６ａの上方を覆う肩体１８には上方に開口する凹部２８が形成されている。この凹部２８には、電気回路やマイコン等を実装した操作基板３１が設置されて、操作基板３１の上に枠体３２を介して操作パネル３３が配設されている。凹部２８の底面２８ａには、操作基板３１に接続するリード線３４を取り出す取出口３６が形成されている。該取出口３６は、裏面の周縁に立壁３７（図７（ａ）参照）が設けられている。
【００２７】
図４を参照すると、取出口３６と吐出部２４との間の第１リブ３８と、肩体１８の枠３９とが、取出口３６の前方と側面とを囲むように設けられている。図７（ａ）に示すように、第１リブ３８は、取出口３６の立壁３７よりもＳ１高い。また、第１リブ３８の後方には第１切欠き部４１が設けられており、立壁３７は第１切欠き部４１の底よりもＳ２高い。取出口３６と内容器１７との間には、下方に向かって延びる第２リブ４２が設けられ、第２リブ４２には、リード線３４を挿通する第２切欠き部４３が形成されている。
【００２８】
図５を参照すると、防水手段であるシール部材４４が、立壁３７と係合して取出口３６を下側から覆うように固定されている。シール部材４４は、立壁３７と係合する係合部４６と、係合部４６から外方に延び、孔４７を有する固定部４８とから構成されている。係合部４６の側面には、リード線３４を挿通する挿通口４９が形成されている。また、シール部材４４は、孔４７を挿通するねじ（図示せず）を介して、肩体１８のシール部材取付脚５１に固定されている。
【００２９】
図６と図７（ｂ）とを参照すると、吐出部２４を有する弁部材２３が、シール部材４４の下側に固定されている。弁部材２３は、揚水管２６と接続する接続部５２を有し、転倒時に内容器１７内の液体が揚水管２６を通って、吐出部２４から液体が吐出するのを防止する公知の形状である。また、弁部材２３は、孔５３を挿通するねじ（図示せず）を介して、シール部材４４の下面と距離Ｓ３を隔てて、肩体１８の弁部材取付脚５４に固定されている。弁部材２３の前方に設けられた吐出部２４は、下方に向かって延び、その周壁５６には鉛直方向に延びるスリット５７が形成されている。該スリット５７は、子供が誤って吐出部２４を吸引した場合に、熱湯が吸い出されて火傷を負うのを防止するために、前記吸引力を和らげるものである。
【００３０】
続いて、前記構成からなる電気湯沸かし器１１の動作について説明する。
【００３１】
まず、蓋体１４を開放して内容器１７に液体を注ぎ電源を投入すると、加熱ヒータ１９と保温ヒータ２１により液体が加熱され、沸騰すると所定温度に保温される。更に、給湯スイッチ３５ａを押すと、給湯ポンプ２２が駆動され、内容器１７内の沸騰又は保温された液体が、揚水管２６と弁部材２３とを介して吐出部２４から吐出する。
【００３２】
本電気湯沸かし器１１を洗浄後、乾燥のために倒置すると、弁部材２３内の液体が、吐出部２４のスリット５７の下端部５８からＡ方向やＢ方向（図４参照）に漏出する。しかし、第１リブ３８を設けたことで、前記液体が取出口３６から凹部２８内に流入するのを防止することができる。
【００３３】
また、電気湯沸かし器１１を洗浄後、倒置すると、本体１２底部のねじ穴（図示せず）から浸水した液体が、内容器１７の側面をＥ方向（図７参照）に伝わり、肩体１８の裏面をＣ方向（図４参照）に流れる。しかし、第２リブ４２を設けたことで、内容器１７から伝達する液体が取出口３６から凹部２８内に流入するのを防止することができる。これらにより、電気湯沸かし器１１を倒置しても、液体が凹部２８内に流入することを防止して、操作基板３１が破損するのを防止することができる。
【００３４】
更に、第１リブ３８と第２リブ４２との間に第１切欠き部４１を設けたことで、湯沸かし器１１を倒置した場合に、内容器１７から伝達する液体が第２切欠き部４３から流出して、取出口３６と該取出口３６を囲繞する第１リブ３８との間に溜まっても、第１切欠き部４１から第１リブ３８の外部へ排水することができる。
【００３５】
第１リブ３８が取出口３６の立壁３７よりも高いので、効果的に取出口３６への水の侵入を防ぐことができる。また、立壁３７が第１切欠き部４１の底よりも高いので、液体が第１リブ３８と取出口３６との間に溜まっても、第１リブ３８の外部へ排水することができる。
【００３６】
シール部材４４が、取出口３６の立壁３７と係合して取出口３６を覆うので、仮に液体が第１リブ３８から浸水して取出口３６に至っても、取出口３６から凹部２８内に浸水するのを防止することができる
【００３７】
弁部材２３とシール部材４４との隙間Ｓ３が取出口３６の立壁３７よりも短いので、シール部材４４は、弁部材２３によって取出口３６から外れることなく固定される。
【００３８】
シール部材４４を弁部材２３に一体成形することで、別部品にする場合と比べて、製造コストを減少することができる。
【００３９】
なお、本発明の電気湯沸かし器１１は前記実施形態に限定されず、種々の変形が可能である。
【００４０】
第１リブ３８に関しては、電気湯沸かし器１１を倒置した場合に、吐出部２４のスリット５７から漏出する液体が、取出口３６に流入するのを防止することができる限り、形状は特に限定されない。
【００４１】
第２リブ４２に関しては、電気湯沸かし器１１を倒置した場合に、内容器１７から伝達する液体が、取出口３６に流入するのを防止することができる限り、形状は特に限定されない。
【図面の簡単な説明】
【００４２】
【図１】本発明の実施形態に係る電気湯沸かし器の斜視図。
【図２】図１の電気湯沸かし器の部分破断断面図。
【図３】図１の電気湯沸かし器の肩体凹部に配設する操作基板と枠体、操作パネルの分解斜視図。
【図４】図３の肩体を裏面から見た裏面図。
【図５】図４の肩体にシール部材を配置した裏面図。
【図６】図５の肩体に弁部材を配置した裏面図。
【図７】（ａ）は図６の肩体から弁部材とシール部材とを外した状態のＤーＤ線に沿った部分拡大断面図（ｂ）は図６のＤーＤ線に沿った拡大断面図。
【符号の説明】
【００４３】
１１  電気湯沸かし器
１２  本体
１７  内容器
１８  肩体
２３  弁部材
２４  吐出部
２６  揚水管
２８  凹部
２８ａ  底面
３１  操作基板
３４  リード線
３６  取出口
３７  立壁
３８  第１リブ
４１  第１切欠き部
４２  第２リブ
４３  第２切欠き部
４４  シール部材（防水手段）
５７  スリット
【図１】
0005009236.tif 000002
【図２】
0005009236.tif 000003
【図３】
0005009236.tif 000004
【図４】
0005009236.tif 000005
【図５】
0005009236.tif 000006
【図６】
0005009236.tif 000007
【図７】
0005009236.tif 000008